(57)【要約】【課題】  載置されるテレビ等の角度を見やすい角度となるように、そのレイアウトを容易且つ迅速に設定変更することができる回転テーブルを提供する。【解決手段】  本回転テーブル１は、載置板２と、該載置板の下面側に設けられる回転具３と、該載置板の下面側に該回転具と離間して設けられ且つ該載置板の下方に向って延びる脚体４と、該脚体の下端部に設けられ且つ床面上を走行可能なキャスタ５ａ，５ｂと、を備え、前記回転具は、垂直軸Ｓ回りに回転自在に支持される回転プレート１２を有し、前記回転プレートをサイドボード７の天板８上に載置した状態で、前記キャスタを床面上を走行させて前記載置板を前記回転具の垂直軸回りに回転させ得るようにした。【選択図】  図６
0003109507.tif 000002
【実用新案登録請求の範囲】
【請求項１】
載置板と、該載置板の下面側に設けられる回転具と、該載置板の下面側に該回転具と離間して設けられ且つ該載置板の下方に向って延びる脚体と、該脚体の下端部に設けられ且つ床面上を走行可能なキャスタと、を備え、前記回転具は、垂直軸（Ｓ）回りに回転自在に支持される回転プレートを有し、
前記回転プレートをサイドボードの天板上に載置した状態で、前記キャスタを床面上を走行させて前記載置板を前記回転具の垂直軸（Ｓ）回りに回転させ得るようにしたことを特徴とする回転テーブル。
【請求項２】
前記載置板が矩形状又は楕円状に形成され、該載置板の長手方向の一端部の下面側に前記回転具が設けられ、該載置板の長手方向の他端部の下面側に前記脚体が設けられている請求項１記載の回転テーブル。
【請求項３】
前記回転プレートの下面側には滑り止め用の弾性部材が設けられている請求項１又は２に記載の回転テーブル。
【請求項４】
前記キャスタが、該キャスタの走行を阻止するためのストッパ機構を有する請求項１乃至３のいずれか一項に記載の回転テーブル。
【請求項５】
前記回転具が、前記載置板の下面側に取着される支持プレートと、該支持プレートに垂直軸（Ｓ）回りに回転自在に支持される前記回転プレートと、該支持プレート及び前記回転プレートの間に設けられ且つ複数の軸受を支持する中間プレートと、を有する請求項１乃至４のいずれか一項に記載の回転テーブル。
【請求項６】
前記回転プレート及び前記中間プレートには、上下方向に貫通する貫通部が形成され、該貫通部を介して打ち込まれるＵ字状釘部材によって前記支持プレートが前記テーブルの下面側に取着されている請求項５記載の回転テーブル。
【請求項７】
前記脚体が、前記載置板に取着された上側脚体と、前記キャスタが取着された下側脚体とからなり、該上側脚体及び該下側脚体の間に、該上側脚体及び該下側脚体の間隔を調整するための脚体側調整機構が設けられている請求項１乃至６のいずれか一項に記載の回転テーブル。
【請求項８】
前記脚体側調整機構が、該上側脚体及び該下側脚体のうちの一方に設けられ且つ上下方向に延びるネジ軸と、他方に設けられ且つ該ネジ軸に螺合する雌ネジ部と、を有する請求項７記載の回転テーブル。
【請求項９】
前記載置板及び前記回転具の間に、該載置板及び該回転具の間隔を調整するための回転具側調整機構が設けられている請求項１乃至６のいずれか一項に記載の回転テーブル。
【請求項１０】
前記回転具側調整機構が、前記載置板及び前記回転具のうちの一方に設けられ且つ上下方向に延びるネジ軸と、他方に設けられ且つ該ネジ軸に螺合する雌ネジ部と、を有する請求項９記載の回転テーブル。
【請求項１１】
前記脚体が、前記載置板に取着された上側脚体と、前記キャスタが取着された下側脚体とからなり、該上側脚体及び該下側脚体の間に、該上側脚体及び該下側脚体の間隔を調整するための脚体側調整機構が設けられ、前記載置板及び前記回転具の間に、該載置板及び該回転具の間隔を調整するための回転具側調整機構が設けられている請求項１乃至６のいずれか一項に記載の回転テーブル。
【請求項１２】
前記脚体側調整機構が、該上側脚体及び該下側脚体のうちの一方に設けられ且つ上下方向に延びるネジ軸と、他方に設けられ且つ該ネジ軸に螺合する雌ネジ部と、を有し、前記回転具側調整機構が、前記載置板及び前記回転具のうちの一方に設けられ且つ上下方向に延びるネジ軸と、他方に設けられ且つ該ネジ軸に螺合する雌ネジ部と、を有する請求項１１記載の回転テーブル。
【請求項１３】
前記載置板上には、テレビ又は表示モニタが載置される請求項１乃至１２のいずれか一項に記載の回転テーブル。
【請求項１４】
請求項１乃至１３のいずれか一項に記載の回転テーブルと、該回転テーブルの前記回転具が載置される天板を有するサイドボードと、を備えることを特徴とするテーブルセット。
【考案の詳細な説明】
【技術分野】
【０００１】
本考案は、回転テーブル及びこれを備えるテーブルセットに関し、更に詳しくは、載置されるテレビ等の角度を見やすい角度となるように、そのレイアウトを容易且つ迅速に設定変更することができる回転テーブル及びこれを備えるテーブルセットに関する。
【背景技術】
【０００２】
従来より、テレビジョン受信機（以下、単に「テレビ」と記載する。）等の載置用のテーブルとして、載置板の両端部に、床面を走行可能なキャスタを有する左右の脚体を設けてなるものが知られている。これにより、載置板にテレビを載置した状態で、キャスタを床面上を走行させてテーブルを移動させれば、テレビを見やすい所望の角度に変えることができる。
しかし、上記テーブルは、室内の壁面に沿ってサイドボード（「ローボード」とも言う。）に隣接して配置されることが多くあり、このように一端レイアウトされてしまうと、サイドボードや壁面等が移動の邪魔となり、テーブルを移動させることが困難なものとなったり、無理にテーブルを移動させてサイドボードや壁面等に衝突してそれらを傷つけてしまったりする問題があった。特に、室内の隅角部にテレビを配置する場合に上記問題が顕著なものとなる。
【考案の開示】
【考案が解決しようとする課題】
【０００３】
以上より本考案は、上記現状に鑑みてなされたものであり、載置されるテレビ等の角度を見やすい角度となるように、そのレイアウトを容易且つ迅速に設定変更することができる回転テーブル及びこれを備えるテーブルセットを提供することを目的とする。
【課題を解決するための手段】
【０００４】
本考案は、以下の通りである。
１．載置板と、該載置板の下面側に設けられる回転具と、該載置板の下面側に該回転具と離間して設けられ且つ該載置板の下方に向って延びる脚体と、該脚体の下端部に設けられ且つ床面上を走行可能なキャスタと、を備え、前記回転具は、垂直軸（Ｓ）回りに回転自在に支持される回転プレートを有し、
前記回転プレートをサイドボードの天板上に載置した状態で、前記キャスタを床面上を走行させて前記載置板を前記回転具の垂直軸（Ｓ）回りに回転させ得るようにしたことを特徴とする回転テーブル。
２．前記載置板が矩形状又は楕円状に形成され、該載置板の長手方向の一端部の下面側に前記回転具が設けられ、該載置板の長手方向の他端部の下面側に前記脚体が設けられている上記１．記載の回転テーブル。
３．前記回転プレートの下面側には滑り止め用の弾性部材が設けられている上記１．又は２．に記載の回転テーブル。
４．前記キャスタが、該キャスタの走行を阻止するためのストッパ機構を有する上記１．乃至３．のいずれか一項に記載の回転テーブル。
５．前記回転具が、前記載置板の下面側に取着される支持プレートと、該支持プレートに垂直軸（Ｓ）回りに回転自在に支持される前記回転プレートと、該支持プレート及び前記回転プレートの間に設けられ且つ複数の軸受を支持する中間プレートと、を有する上記１．乃至４．のいずれか一項に記載の回転テーブル。
６．前記回転プレート及び前記中間プレートには、上下方向に貫通する貫通部が形成され、該貫通部を介して打ち込まれるＵ字状釘部材によって前記支持プレートが前記テーブルの下面側に取着されている上記５．記載の回転テーブル。
７．前記脚体が、前記載置板に取着された上側脚体と、前記キャスタが取着された下側脚体とからなり、該上側脚体及び該下側脚体の間に、該上側脚体及び該下側脚体の間隔を調整するための脚体側調整機構が設けられている上記１．乃至６．のいずれか一項に記載の回転テーブル。
８．前記脚体側調整機構が、該上側脚体及び該下側脚体のうちの一方に設けられ且つ上下方向に延びるネジ軸と、他方に設けられ且つ該ネジ軸に螺合する雌ネジ部と、を有する上記７．記載の回転テーブル。
９．前記載置板及び前記回転具の間に、該載置板及び該回転具の間隔を調整するための回転具側調整機構が設けられている上記１．乃至６．のいずれか一項に記載の回転テーブル。
１０．前記回転具側調整機構が、前記載置板及び前記回転具のうちの一方に設けられ且つ上下方向に延びるネジ軸と、他方に設けられ且つ該ネジ軸に螺合する雌ネジ部と、を有する上記９．記載の回転テーブル。
１１．前記脚体が、前記載置板に取着された上側脚体と、前記キャスタが取着された下側脚体とからなり、該上側脚体及び該下側脚体の間に、該上側脚体及び該下側脚体の間隔を調整するための脚体側調整機構が設けられ、前記載置板及び前記回転具の間に、該載置板及び該回転具の間隔を調整するための回転具側調整機構が設けられている上記１．乃至６．のいずれか一項に記載の回転テーブル。
１２．前記脚体側調整機構が、該上側脚体及び該下側脚体のうちの一方に設けられ且つ上下方向に延びるネジ軸と、他方に設けられ且つ該ネジ軸に螺合する雌ネジ部と、を有し、前記回転具側調整機構が、前記載置板及び前記回転具のうちの一方に設けられ且つ上下方向に延びるネジ軸と、他方に設けられ且つ該ネジ軸に螺合する雌ネジ部と、を有する上記１１．記載の回転テーブル。
１３．前記載置板上には、テレビ又は表示モニタが載置される上記１．乃至１２．のいずれか一項に記載の回転テーブル。
１４．上記１．乃至１３．のいずれか一項に記載の回転テーブルと、該回転テーブルの前記回転具が載置される天板を有するサイドボードと、を備えることを特徴とするテーブルセット。
【考案の効果】
【０００５】
本考案の回転テーブルによると、回転具をサイドボードの天板上に載置した状態で、キャスタを床面上を走行させれば載置板を回転具の垂直軸回りに回転させることができ、載置板上に載置されるテレビ等を見やすい角度となるように、回転テーブルのレイアウトを容易且つ迅速に設定変更することができる。また、サイドボードの天板に対する回転具の載置位置を変更すれば、回転テーブルの水平方向（前後及び左右方向）のレイアウトを容易且つ迅速に変更することができる。その結果、回転テーブルが室内の壁面に沿ってサイドボードに隣接して配置される場合（特に、回転テーブルが室内の隅角部に配置される場合）であっても、回転テーブルのレイアウトを自由に設定変更することができる。特に、回転テーブルの回転具はサイドボードの天板上に置かれているだけなので、１種類のサイドボードに対して回転テーブルを水平方向（前後及び左右方向）に移動させることができ、間口等に応じて適宜好みの幅等に設定できる。
また、前記載置板が矩形状又は楕円状に形成され、該載置板の長手方向の一端部の下面側に前記回転具が設けられ、該載置板の長手方向の他端部の下面側に前記脚体が設けられている場合は、回転テーブルのレイアウトをより広範囲に亘って自由に設定変更することができる。
また、回転プレートの下面側に弾性部材が設けられている場合は、載置板を回転軸の垂直軸周りに回転させる際、サイドボードの天板に対して回転プレートが滑ってしまうことを防止でき、より確実に回転テーブルのレイアウトを設定変更することができる。
また、前記キャスタがストッパ機構を有する場合は、ストッパ機構によりキャスタを走行阻止状態とすれば、回転テーブルを所望の位置に固定的に配置することができる。
また、前記回転具が、支持プレート、回転プレート及び中間プレートを有する場合は、支持プレートに対して回転プレートをより円滑に回転させることができる。
また、Ｕ字状釘部材によって前記支持プレートが前記テーブルの下面側に取着されている場合は、接着剤やネジ等によって支持プレートを取着することに比べて、容易且つ迅速に支持プレートを取着することができる。
また、脚体側調整機構が設けられている場合は、この調整機構によって上側脚体及び下側脚体の間隔を調整すれば、高さ寸法の異なる様々なサイドボードに対応することができる。
また、前記脚体側調整機構が、ネジ軸と、該ネジ軸に螺合する雌ネジ部と、を有する場合は、調整機構をより簡易且つ安価な構造とすることができる。また、より簡易に調整作業を行うことができる。
また、回転具側調整機構が設けられている場合は、この調整機構によって載置板及び回転具の間隔を調整すれば、高さ寸法の異なる様々なサイドボードに対応することができる。
また、前記回転具側調整機構が、ネジ軸と、該ネジ軸に螺合する雌ネジ部と、を有する場合は、調整機構をより簡易且つ安価な構造とすることができる。また、より簡易に調整作業を行うことができる。
また、脚体側調整機構及び回転具側調整機構が設けられている場合は、より広範囲に高さ寸法の異なる様々なサイドボードに対応することができる。さらに、両機能を同時に調整すれば、回転テーブルに載置されたテレビ、表示モニタ等を見やすい高さに自由に設定できる。
また、前記脚体側調整機構及び前記回転具側調整機構のそれぞれが、ネジ軸と、該ネジ軸に螺合する雌ネジ部と、を有する場合は、調整機構をより簡易且つ安価な構造とすることができる。また、より簡易に調整作業を行うことができる。
また、前記載置板上には、テレビ又は表示モニタが載置される場合は、その載置されたテレビ又は表示モニタを見やすい角度とすることができる。
本考案のテーブルセットによると、回転具をサイドボードの天板上に載置した状態で、キャスタを床面上を走行させれば載置板を回転具の垂直軸回りに回転させることができ、載置板上に載置されるテレビ等を見やすい角度となるように、回転テーブルのレイアウトを容易且つ迅速に設定変更することができる。また、サイドボードの天板に対する回転具の載置位置を変更すれば、回転テーブルの水平方向（前後及び左右方向）のレイアウトを容易且つ迅速に変更することができる。その結果、回転テーブルが室内の壁面に沿ってサイドボードに隣接して配置される場合（特に、回転テーブルが室内の隅角部に配置される場合）であっても、回転テーブルのレイアウトを自由に設定変更することができる。特に、回転テーブルの回転具はサイドボードの天板上に置かれているだけなので、１種類のサイドボードに対して回転テーブルを水平方向（前後及び左右方向）に移動させることができ、間口等に応じて適宜好みの幅等に設定できる。
【考案を実施するための最良の形態】
【０００６】
１．回転テーブル
本考案に係る回転テーブルは、以下に述べる載置板、回転具、脚体及びキャスタを備えて構成される。
【０００７】
上記「載置板」は、物品（特に、テレビ又は表示モニタ）を載置可能である限り、その材質、形状等は特に問わない。この載置板の材質としては、例えば、木、プラスチック、金属等を挙げることができる。また、載置板の形状としては、例えば、角板状（三角板状、正方形板状、矩形板状等）、円板状、楕円（長楕円も含む。）板状、異形板状等のうちの１種又は２種以上の組み合わせを挙げることができる。これらのうち、矩形板状又は楕円板状であることが好ましい。
【０００８】
上記「回転具」は、上記載置板の下面側に設けられている。この回転具は、垂直軸回りに回転自在に支持される回転プレートを有している。この回転プレートの下面側には滑り止め用の弾性部材が設けられていることが好ましい。
上記回転具は、例えば、上記載置板の下面側に取着される支持プレートと、この支持プレートに対して垂直軸回りに回転自在に支持される回転プレートと、この支持プレート及び回転プレートの間に設けられ且つ複数の軸受を支持する中間プレートと、を有することができる。上記回転プレート及び中間プレートには、上下方向に貫通する貫通部が形成されていることが好ましい。この貫通部を介して打ち込まれるＵ字状釘部材（「タッカー針」とも言う。）によって支持プレートをテーブルの下面側に取着できるためである。なお、上記Ｕ字状釘部材は、通常、手動式又は流体駆動式のステープラにより打ち込まれる。
【０００９】
ここで、上記載置板及び回転具の間に、例えば、両者の間隔を調整可能な回転具側調整機構を設けることができる。この回転具側調整機構としては、例えば、ネジ機構、ジャッキ機構、シリンダ機構等を挙げることができる。これらのうちネジ機構であることが好ましい。このネジ機構は、例えば、載置板及び回転具のうちの一方に設けられ且つ上下方向に延びるネジ軸と、他方に設けられ且つ該ネジ軸に螺合する雌ネジ部と、を有することができる。
【００１０】
上記「脚体」は、上記載置板の下面側に上記回転具と所定間隔をもって離間して設けられ且つ載置板の下方に向って延びている限り、その材質、形状等は特に問わない。この脚体の材質としては、例えば、木、プラスチック、金属等を挙げることができる。この脚体の形状としては、例えば、平板状、柱状、枠状等のうちの１種又は２種以上の組み合わせを挙げることができる。
上記脚体は、例えば、載置板に取着された上側脚体と、キャスタが取着された下側脚体とからなることができる。この場合、上側脚体及び下側脚体の間に、例えば、両者の間隔を調整可能な脚体側調整機構を設けることができる。この脚体側調整機構としては、例えば、ネジ機構、ジャッキ機構、シリンダ機構等を挙げることができる。これらのうちネジ機構であることが好ましい。このネジ機構は、例えば、上側脚体及び下側脚体のうちの一方に設けられ且つ上下方向に延びるネジ軸と、他方に設けられ且つ該ネジ軸に螺合する雌ネジ部と、を有することができる。
なお、上記回転具側調整機構及び脚体側調整機構を併用することが好ましい。これら両機構を同時に調整することによって、回転テーブルに載置されたテレビ、表示モニタ等を見やすい高さに自由に設定できるためである。さらに、より広範囲に高さ寸法の異なる様々なサイドボードに対応することができるためである。
【００１１】
上記「キャスタ」は、床面上を走行可能である限り、その種類、個数等は特に問わない。このキャスタは、例えば、このキャスタの走行を阻止するためのストッパ機構を有することができる。
【００１２】
２．テーブルセット
本考案に係るテーブルセットは、上述の回転テーブルと、この回転テーブルの回転プレートが載置される天板を有するサイドボードと、を備えることを特徴とする。
【実施例】
【００１３】
以下、図面に基づいて実施例により本考案を具体的に説明する。
【００１４】
（１）回転テーブルの構成
本実施例に係る回転テーブル１は、図１及び２に示すように、載置板２、回転具３、脚体４及びキャスタ５ａ，５ｂを備えている。
なお、上記回転テーブル１と組み合わせて使用されるサイドボード７は、その天板８上面の高さ位置が回転テーブル１の載置板２下面の高さ位置より僅かに低いものとなっている。また、このサイドボード７の下面側には、床面上を走行可能な複数（図２中５つ）のキャスタ９が取着されている。
【００１５】
上記載置板２は、木製であり、略矩形板状に形成されている。この載置板２の表面には、紙繊維に樹脂を含ませて固めた含浸紙が貼着されている。この載置板２上には、テレビ１０が載置される。
【００１６】
上記回転具３は、上記載置板２の長手方向の一端部の下面側に設けられている。この回転具３は、図３及び４に示すように、支持プレート１１と、この支持プレート１１に対して垂直軸Ｓ回りに回転自在に支持される回転プレート１２と、支持プレート１１及び回転プレート１２の間に設けられ且つ複数の軸受１４を支持する中間プレート１３と、を有している。この回転プレート１２及び中間プレート１３には、上下方向に貫通する貫通孔１２ａ，１３ａが形成され、これらの貫通孔１２ａ，１３ａを介して手動式ステープラ（図示せず）で打ち込まれるＵ字状釘部材１６（図４参照）によって、支持プレート１１が載置板２の下面側に取着されている。また、上記回転プレート１２の下面側には円周方向に所定間隔で複数の筒部１２ｂが形成されており、各筒部１２ｂ内に滑り止め用の弾性部材１７（図４参照）が装着されている。
【００１７】
上記脚体４は、図１に示すように、上記載置板２の長手方向の他端縁部に連結具１８を介して取着されている。この脚体４は、木製であり、略矩形板状に形成されている。この脚体４の下端部には、金属プレート１９を介して上記キャスタ５ａ，５ｂが取着されている。これらキャスタ５ａ，５ｂのうち、一方のキャスタ５ａはその走行を阻止可能なストッパ機構（図示せず）を有しており、他方のキャスタ５ｂはストッパ機構を有していない。
なお、上記キャスタ５ａ，５ｂは共にストッパ機構を有するようにしてもよい。
【００１８】
（２）回転テーブルの作用
次に、上記構成の回転テーブル１の作用について説明する。なお、初期状態として、図５に示すように、回転テーブル１の回転具３がサイドボード７の天板８上の一端側に載置され、回転テーブル１の載置板２上にはテレビ１０が載置支持されているものとする。
【００１９】
上記初期状態より、人手によって、キャスタ５ａのストッパ機構を解除する。その後、載置板２を手前側に引っ張ると、キャスタ５ａ，５ｂが床面上を円滑に走行し、載置板２が回転具３の垂直軸Ｓ回りに回転して、載置板２上のテレビ１０が見やすい角度となるように、回転テーブル１のレイアウトが設定変更される（図６参照）。
【００２０】
また、上記初期状態より、人手によって、載置板２上からテレビ１０を取り外し、キャスタ５ａのストッパ機構を解除する。その後、載置板２を持ち上げつつ左右方向（載置板の長手方向）及び／又は前後方向（載置板の長手方向に直交する方向）に移動させれば、回転テーブル１の水平方向のレイアウトが任意に設定変更される（図１及び２参照）。
なお、載置板２を持ち上げつつサイドボード７側へ移動させて、回転テーブル１の載置板２の大部分をサイドボード７の天板８上に重ねれば、その回転テーブル１の隣接する空間を有効利用することができる。
【００２１】
（３）実施例の効果
以上より、本実施例では、載置板２の長手方向の一端部に、キャスタ５ａ，５ｂを有する脚体４を設けると共に、載置板２の長手方向の他端部に、支持プレート１１、回転プレート１２及び中間プレート１３を有する回転具３を設けて回転テーブル１を構成したので、回転具３をサイドボード７の天板８上に載置した状態で、キャスタ５ａ，５ｂを床面上を走行させれば載置板２を回転具３の垂直軸Ｓ回りに回転させることができ、載置板２上に載置されるテレビ１０等を見やすい角度となうように、回転テーブル１のレイアウトを容易且つ迅速に設定変更することができる。また、サイドボード７の天板８に対する回転具３の載置位置を変更すれば、回転テーブル１の水平方向（左右及び前後方向）のレイアウトを容易且つ迅速に変更することができる。その結果、回転テーブル１が室内の壁面に沿ってサイドボード７に隣接して配置される場合（特に、回転テーブル１が室内の隅角部に配置される場合；図２参照）であっても、回転テーブル１のレイアウトを自由に設定変更することができる。特に、回転テーブル１の回転具３はサイドボード７の天板８上に置かれているだけなので、１種類のサイドボード７に対して回転テーブル１を水平方向（前後及び左右方向；特に左右方向）に移動させることができ、間口等に応じて適宜好みの幅等に設定できる。
【００２２】
また、本実施例では、回転プレート１２の下面側に弾性部材１７を設けたので、載置板２を回転具３の垂直軸Ｓ周りに回転させる際、サイドボード７の天板８に対して回転プレート１２が滑ってしまうことを防止でき、より確実に回転テーブル１のレイアウトを設定変更することができる。
また、本実施例では、一方のキャスタ５ａにストッパ機構を設けたので、ストッパ機構によりキャスタ５ａを走行阻止すれば、回転テーブル１を所望の位置に固定的に配置することができる。
また、本実施例では、Ｕ字状釘部材１６により支持プレート１１を載置板２の下面側に取着するようにしたので、接着剤やネジ等によって支持プレートを取着することに比べて、容易且つ迅速に取着することができる。
【００２３】
尚、本考案においては、前記実施例に限られず、目的、用途に基づいて本考案の範囲内で種々変更した実施例とすることができる。即ち、上記実施例では、所定の高さ寸法のサイドボード７専用の回転テーブル１を例示したが、これに限定されず、例えば、脚体の上下方向の長さを伸縮可能な脚体側調整機構２０Ａ，２０Ｂを備えた回転テーブル１Ａ，１Ｂとして、様々な高さ寸法のサイドボードに対応できるようにしてもよい。
上記脚体側調整機構２０Ａは、図７に示すように、載置板２に取着された上側脚体４ａに雌ネジ部２１Ａを形成し、この雌ネジ部２１Ａに、キャスタ５ａ，５ｂが取着された下側脚体４ｂに設けたネジ軸２２Ａをねじ込んで、その螺合長さを調整することで脚体４の上下方向長さを伸縮調整するものである。なお、上側脚体４ａの形状としては、例えば、板状、パイプ状等を挙げることができる。
上記脚体側調整機構２０Ｂは、図８に示すように、下側脚体４ｂに形成された複数の雌ネジ部２１Ｂのうちの所定の雌ネジ部２１Ｂに、上側脚体４ａの雌ネジ部２３Ｂを合わせて、両者をボルト止めするものである。
【００２４】
また、載置板２及び回転具３の間隔長さを伸縮可能な回転具側調整機構２４を設けるようにしてもよい。この回転具側調整機構２４は、図７及び８に示すように、載置板２の一端部の下面側に、雌ネジ部２５が形成されたパイプ部材２６を取着し、この雌ネジ部２５に、回転具３に設けたネジ軸２７をねじ込んで、その螺合長さを調整することで載置板２及び回転具３の間隔長さを伸縮調整するものである。
特に、上記回転具側調整機構２４と共に上記脚体側調整機構２０Ａ（２０Ｂ）を備えているので、両機構２４、２０Ａ（２０Ｂ）を同時に調整すれば、回転テーブル１に載置されたテレビ１０を見やすい高さに設定することができる。
【産業上の利用可能性】
【００２５】
サイドボードに併用される回転テーブルとして利用される。特に、テレビ又は表示モニタを載置支持する回転テーブルとして好適に利用される。
【図面の簡単な説明】
【００２６】
【図１】本実施例に係る回転テーブル及びサイドボードの正面図である。
【図２】図１のII矢視図である。
【図３】回転具の分解斜視図である。
【図４】回転具の要部縦断面図である。
【図５】本実施例に係る回転テーブル及びサイドボードの斜視図である。
【図６】本実施例に係る回転テーブル及びサイドボードの斜視図である。
【図７】回転テーブルの他の形態を説明するための説明図である。
【図８】回転テーブルの更に他の形態を説明するための説明図である。
【符号の説明】
【００２７】
１，１Ａ，１Ｂ；回転テーブル、２；載置板、３；回転具、４；脚体、４ａ；上側脚体。４ｂ；下側脚体、５ａ，５ｂ；キャスタ、７；サイドボード、８；天板、１０；テレビ、１１；支持プレート、１２；回転プレート、１３；中間プレート、１４；軸受、１６；Ｕ字状釘部材、１７；弾性部材、２０Ａ；脚体側調整機構、２１Ａ；雌ネジ部、２２Ａ；ねじ軸、２４；回転具側調整機構、２５；雌ネジ部、２７；ねじ軸、Ｓ；垂直軸。
【図１】
0003109507.tif 000003
【図２】
0003109507.tif 000004
【図３】
0003109507.tif 000005
【図４】
0003109507.tif 000006
【図５】
0003109507.tif 000007
【図６】
0003109507.tif 000008
【図７】
0003109507.tif 000009
【図８】
0003109507.tif 000010